(57)【特許請求の範囲】
【請求項１】
シューズのアウトソール構造であって、
前後方向に延びるアウトソール本体の少なくとも踵部において、前記アウトソール本体の周縁部から所定の距離を隔てて凹部を形成するとともに、前記凹部の底壁面およびその裏側のアウトソール本体下面に同じ波形状面を形成して前記凹部の底壁部を板状の波形状部から構成するとともに、
前記凹部の前記底壁面の前記波形状面に対応する波形状面を下面に有する軟質弾性部材製の上部ミッドソールを前記凹部内に設け、
前記アウトソール本体下面の前記波形状面に対応する波形状面を上面に有する軟質弾性部材製の下部ミッドソールを前記アウトソール本体下面に設けた、
ことを特徴とするシューズのアウトソール構造。
【請求項２】
請求項１において、
前記アウトソール本体が、シューズの全長にわたって延設されている、
ことを特徴とするシューズのアウトソール構造。
【請求項３】
請求項１または２において、
前記凹部が前記アウトソール本体の前足部または中足部にも設けられている、
ことを特徴とするシューズのアウトソール構造。
【請求項４】
請求項１において、
前記下部ミッドソールの下面には、アウトソールプレートが装着されている、
ことを特徴とするシューズのアウトソール構造。
【発明の詳細な説明】
【０００１】
【発明の属する技術分野】
本発明は、シューズのアウトソール構造の改良に関する。
【０００２】
【従来の技術およびその課題】
従来より、シューズの靴底として、アウトソールがシューズの全長にわたって延設されたものにおいては、靴底の足当たり感やクッション性を向上させるために、アウトソールのとくに踵部の内部や底面に軟質弾性部材製のミッドソールを設けることが一般に行われている。
【０００３】
しかしながら、単にミッドソールを設けるだけでは、とくにスポーツシューズとして使用した場合に、回内や回外といった足の踵部の横振れを抑制することができず、安定性に欠けるという問題が生じる。
【０００４】
本発明は、このような従来の実情に鑑みてなされたもので、着用者の足当たり感を向上させつつ、安定性を確保できるシューズのアウトソール構造を提供することを目的とする。
【０００５】
【課題を解決するための手段】
請求項１の発明に係るシューズのアウトソール構造は、前後方向に延びるアウトソール本体の少なくとも踵部において、前記アウトソール本体の周縁部から所定の距離を隔てて凹部を形成するとともに、前記凹部の底壁面およびその裏側のアウトソール本体下面に同じ波形状面を形成して前記凹部の底壁部を板状の波形状部から構成するとともに、前記凹部の前記底壁面の前記波形状面に対応する波形状面を下面に有する軟質弾性部材製の上部ミッドソールを前記凹部内に設け、前記アウトソール本体下面の前記波形状面に対応する波形状面を上面に有する軟質弾性部材製の下部ミッドソールを前記アウトソール本体下面に設けたことを特徴としている。
【０００６】
請求項１の発明によれば、アウトソール本体の少なくとも踵部に形成された凹部内に軟質弾性部材製の上部ミッドソールが設けられるので、少なくとも踵部において、着用者の足当たり感を向上できる。
【０００７】
しかも、請求項１の発明によれば、凹部の底壁面が波板状に形成されかつ上部ミッドソールの下面がこれに対応する波形状に形成されているので、シューズの踵部に接地面から荷重が作用したとき、凹部底壁面の波形状部によって、シューズの踵部が局所的に変形するのが防止され、これにより、回内や回外のような足の踵部の横振れを防止でき、安定性を確保できる。
【０００８】
また、この場合には、着地時の衝撃荷重を下部ミッドソールにより緩和でき、クッション性を向上できるとともに、下部ミッドソールの圧縮変形を、下部ミッドソール上面およびアウトソール本体の凹部底壁面の各波形状面により抑制できるので、シューズとしての安定性を維持できる。
【０００９】
さらに、凹部の周縁部が、アウトソール本体の外周面から所定の距離を隔てて配置されている。この場合には、アウトソール本体において外周面と凹部周縁部との間の領域により、足裏を支持することができ、これにより、シューズとしての安定性を向上できる。また、この場合には、凹部内に配置される上部ミッドソールがアウトソール本体の外周面に露出することがないので、アウトソール本体の外周面に作用する外力によって上部ミッドソールが剥離を起こすのを回避できる。
【００１０】
また、上下方向に延びる立壁面が凹部の周縁部に形成されている。この場合には、該立壁面がストッパ面として作用することにより、アウトソール本体の凹部底壁面および上部ミッドソール下面の界面間でずれが発生するのを防止できる。また、この場合、アウトソール本体の凹部と上部ミッドソールとの接着を該立壁面のみを介して行うことができ、これにより、凹部底壁面と上部ミッドソール下面との接着が不要になって製造コストを低減できる。
【００１１】
請求項２の発明では、アウトソール本体がシューズのつま先部から踵部に至る全長にわたって配設されている。
【００１２】
請求項３の発明では、アウトソール本体の前足部または中足部にも凹部が設けられており、該凹部内に軟質弾性部材製の上部ミッドソールが設けられている。これにより、前足部または中足部における足当たり感をも向上できるとともに、シューズの前足部または中足部の横振れをも防止でき、シューズ全体の安定性をさらに向上できる。
【００１３】
請求項４の発明においては、アウトソールプレートが下部ミッドソールの下面に装着されている。
【００１４】
【発明の実施の形態】
以下、本発明の実施態様を添付図面に基づいて説明する。
図１ないし図５は、本発明の一実施態様によるアウトソール構造を説明するための図であって、図１はアウトソール構造（ここではゴルフシューズの左足用）の平面図、図２は図１の外甲側側面図、図３は図１のIII-III 線断面図、図４は図２のIV-IV 線断面図、図５は図２のV-V 線断面図である。
【００１５】
図１に示すように、このアウトソール構造体１は、シューズのつま先部から踵部にかけてシューズの全長にわたって延びるアウトソール本体２を有している。アウトソール本体２は、たとえばＴＰＵ（熱可塑性ポリウレタン）やポリアミドエラストマーなどの比較的硬質の樹脂から構成されるが、ラバーや発泡ポリウレタン樹脂から構成するようにしてもよい。また、アウトソール本体２の外周近傍には、全周にわたって帯状に延びる略平坦状の面２０が形成されている。この面２０は、図示しない甲被部の下面を接着するための接着面として用いられる。
【００１６】
アウトソール本体２の踵部には、上方（つまり紙面手前側）に開口する凹部２１が形成されている。凹部２１の周縁部は、アウトソール本体２の外周面２ａから面２０の幅の分だけ隔てられている。凹部２１内には、上部ミッドソール３が埋設されている。上部ミッドソール３は、たとえばＥＶＡ（エチレン−酢酸ビニル共重合体）等の樹脂の発泡体から構成されるが、その他の軟質弾性部材を用いるようにしてもよい。
【００１７】
凹部２１の底壁面は、図２および図３に示すように、波板状に形成された波形状部２Ａを有している。上部ミッドソール３の下面には、凹部２１の波形状部２Ａの波形状面に対応する波形状面３Ａが形成されている。また、凹部２１の周縁部には、図２ないし図５に示すように、上下方向に延びる立壁面２１ａが形成されている。
【００１８】
アウトソール本体２の踵部の底面には、下部ミッドソール４が固着されている。下部ミッドソール４は、中央に開孔４ａを有しており、各図では明瞭に表れていないが、略Ｕ字状の形状を有している。下部ミッドソール４の上面には、凹部２１の波形状部２Ａの波形状面に対応する波形状面４Ａが形成されている。また、下部ミッドソール４の下面には、アウトソール本体２と同様の比較的硬質の樹脂またはソリッドラバーから構成されたアウトソールプレート５が固着されている。
【００１９】
このような構成になるアウトソール構造によれば、アウトソール本体２の踵部に形成された凹部２１内に軟質弾性部材製の上部ミッドソール３が設けられるので、シューズ踵部における着用者の足当たり感を向上できる。
【００２０】
しかも、アウトソール本体２の凹部２１に波板状部２Ａが形成されているので、シューズの踵部に接地面から荷重が作用したとき、シューズの踵部の局所的な変形が防止され、これにより、回内や回外のような足の踵部の横振れを防止でき、安定性を確保できる。
【００２１】
また、アウトソール本体２の面２０により、着用者の足裏の周縁部が支持されることになるので、シューズとしての安定性を向上できる。さらに、凹部２１内に配置される上部ミッドソール３がアウトソール本体２の外周面２ａに露出することがないので、アウトソール本体２の外周面２ａに作用する外力によって上部ミッドソール３が剥離するのを回避できる。
【００２２】
また、凹部２１の周縁部に形成された立壁面２１ａがストッパ面として作用することにより、アウトソール本体２の凹部２１の底壁面および上部ミッドソール３の下面の界面間でずれが発生するのを防止できる。また、この場合、上部ミッドソール３の凹部２１に対する接着を立壁面２１ａのみを介して行うことができ、これにより、上部ミッドソール３の下面と凹部２１の底壁面との接着が不要になって製造コストを低減できる。
【００２３】
さらに、凹部２１の波形状部２Ａに対応する波形状面４Ａが上面に形成された軟質弾性部材製の下部ミッドソール４が、アウトソール本体２の踵部の下面に設けられているので、着地時の衝撃荷重を下部ミッドソール４により緩和でき、クッション性を向上できるとともに、下部ミッドソール４の圧縮変形を、下部ミッドソール４およびアウトソール本体２の各波形状面２Ａ，４Ａにより抑制できるので、シューズとしての安定性を維持できる。
【００２４】
なお、前記実施態様では、凹部がアウトソール本体の踵部に形成された例を示したが、本発明の適用はこれには限定されず、凹部は、踵部のみならず、前足部または中足部にも形成するようにしてもよい。この場合には、シューズの前足部または中足部における足当たり感を向上できると同時に、前足部または中足部の横振れを防止でき、シューズ全体の安定性をさらに向上できる。
【００２５】
また、前記実施態様では、本発明によるアウトソール構造がゴルフシューズに適用された例を示したが、本発明はゴルフシューズ以外のシューズにも適用可能である。
【００２６】
【発明の効果】
以上のように本発明によれば、アウトソール本体の少なくとも踵部に形成された凹部内に軟質弾性部材製の上部ミッドソールを設けたので、少なくとも踵部において着用者の足当たり感を向上できる効果がある。しかも、この場合には、凹部の底壁面を波板状に形成しかつ上部ミッドソールの下面を凹部底壁面の波形状部に対応する波形状に形成したので、シューズ踵部の横振れを防止でき、安定性を確保できる効果がある。
【図面の簡単な説明】
【図１】本発明の一実施態様によるアウトソール構造体の平面図である。
【図２】アウトソール構造体（図１）の外甲側側面図である。
【図３】図１のIII-III 線断面図である。
【図４】図２のIV-IV 線断面図である。
【図５】図２のV-V 線断面図である。
【符号の説明】
１：  アウトソール構造体
２：  アウトソール本体
２Ａ：  波形状部
２１：  凹部
２１ａ：  立壁部
３：  上部ミッドソール
３Ａ：  波形状面
４：  下部ミッドソール
４Ａ：  波形状面
５：  アウトソールプレート
【図１】
0003890012.tif 000002
【図２】
0003890012.tif 000003
【図３】
0003890012.tif 000004
【図４】
0003890012.tif 000005
【図５】
0003890012.tif 000006